(57)【特許請求の範囲】
【請求項１】
ペア線を接続する入力端子と、ペア線を接続する送り端子と、前記入力端子及び前記送り端子とに電気的接続された端子ピンを設けてなるコネクタ部と、を具備したコンセントと、
人が操作する操作接点を設けた操作部と、前記コネクタ部に着脱自在に接続するプラグ部と、前記プラグ部と前記操作部とを接続するコード部と、前記コード部内に収納され、前記コネクタ部と前記プラグ部とを接続することにより前記入力端子と前記送り端子との間を電気的接続するペア線から成る導電線と、を具備し、前記操作接点の操作により前記導電線を短絡する呼出スイッチとを有して成り、
前記導電線は、前記操作接点にて折り返して前記コード部内に往復収納し、その両端を前記プラグ部に配置して前記コネクタ部に接続するようにしてなり、
前記プラグ部が前記コネクタ部に接続されたときには、前記導電線を経由して前記入力端子と前記送り端子が電気的に接続されることを特徴とする呼出システム。
【請求項２】
前記コンセントを複数具備し、各々の前記コンセントをペア線にて送り配線してなり、各々の前記コンセントに切換手段を有してなり、
前記コネクタ部に前記プラグ部が非接続のときに前記切換手段を電気的導通状態にして前記入力端子と前記送り端子とが前記導電線を経由せずに直接電気的接続され、
前記コネクタ部に前記プラグ部が接続されているときに前記切換手段を電気的遮断状態にすることを特徴とする請求項１記載の呼出システム。
【請求項３】
前記切換手段をマイクロスイッチで構成しマイクロスイッチのスイッチレバーにてコネクタ部とプラグ部との接続又は非接続を検知することを特徴とする請求項１又は請求項２何れか記載の呼出システム。
【発明の詳細な説明】
【０００１】
【発明の属する技術分野】
本発明は、呼出システムに関する。
【０００２】
【従来の技術】
従来、例えば図８に示すように、呼出スイッチ３０と、呼出スイッチ３０の操作を報知する親機３とが遠隔配線で接続されたナースコールシステムのような呼出システムがある。親機３にはペア線４を介してコンセント２０が接続されており、前記呼出スイッチ３０はコンセント２０に着脱自在に接続出来るようになっている。コンセント２０は、ペア線４を接続するペアの入力端子２０ａ，２０ｂと、入力端子２０ａ，２０ｂそれぞれに直結されたコネクタ端子２１ａ，２１ｂとを具備しており、呼出スイッチ３０は、コネクタ端子２１ａ，２１ｂ間を短絡する操作接点３１を具備して成る。該システムにおいては、操作接点３１が操作されると、コネクタ端子２１ａ，２１ｂ間が短絡し、それを親機３が検出することにより、呼出スイッチ３０が操作されたことを親機３にて報知出来るようになっている。
【０００３】
しかしながら該システムにおいては、親機３が１つに対して、呼出スイッチ３０が１つしか接続できなく、仮に多くの呼出スイッチ３０を親機３に接続するので、ペア線４を親機３から何本も引き出さなければならなかった。
【０００４】
そこで、上記問題を解決するために、図９に示すようなコンセント２０を使用する場合があった。該コンセント２０は、複数のコンセント２０を送り配線出来るように、入力端子２０ａ，２０ｂの他に送り端子２０ｃ，２０ｄを設けたものである。Ｒは終端抵抗である。
【０００５】
【発明が解決しようとする課題】
しかしながらこのようなコンセントおよび呼出システムにおいても、もし呼出スイッチ３０が断線（例えば断線箇所を３０ａとする）しても、断線を検知することができなかった。
【０００６】
本発明は上記問題に鑑みて成されたものであり、その目的とするところは、呼出スイッチ自体の断線を検知することができる呼出システムを提供することである。
【０００７】
【課題を解決するための手段】
上記した課題を解決するために成された請求項１記載の発明は、ペア線を接続する入力端子と、ペア線を接続する送り端子と、前記入力端子及び前記送り端子とに電気的接続された端子ピンを設けてなるコネクタ部と、を具備したコンセントと、人が操作する操作接点を設けた操作部と、前記コネクタ部に着脱自在に接続するプラグ部と、前記プラグ部と前記操作部とを接続するコード部と、前記コード部内に収納され、前記コネクタ部と前記プラグ部とを接続することにより前記入力端子と前記送り端子との間を電気的接続するペア線から成る導電線と、を具備し、前記操作接点の操作により前記導電線を短絡する呼出スイッチとを有して成り、前記導電線は、前記操作接点にて折り返して前記コード部内に往復収納し、その両端を前記プラグ部に配置して前記コネクタ部に接続するようにしてなり、前記プラグ部が前記コネクタ部に接続されたときには、前記導電線を経由して前記入力端子と前記送り端子が電気的接続される構成としてある。
【０００８】
請求項２記載の発明は、請求項１において、前記コンセントを複数具備し、各々の前記コンセントをペア線にて送り配線してなり、各々の前記コンセントに切換手段を有してなり、前記コネクタ部に前記プラグ部が非接続のときに前記切換手段を電気的導通状態にして前記入力端子と前記送り端子とが前記導電線を経由せずに直接電気的接続され、前記コネクタ部に前記プラグ部が接続されているときに前記切換手段を電気的遮断状態にする構成としてある。
【０００９】
請求項３記載の発明は、請求項１又は請求項２何れかにおいて、前記切換手段をマイクロスイッチで構成しマイクロスイッチのスイッチレバーにてコネクタ部とプラグ部との接続又は非接続を検知する構成としてある。
【００１０】
【発明の実施の形態】
本発明の第１の実施形態を以下に説明する。
【００１１】
図において、１はコンセント、２は呼出スイッチ、３は親機、４はペア線である。呼出スイッチ２は緊急時など誰かを呼出したいときに操作するもので、コンセント１は該呼出スイッチ２を着脱自在に接続するものである。また、図６や図１、図２に示すように、本呼出システムには複数のコンセント１が具備されており、各コンセント１がペア線４にて送り配線接続されている。また、上記従来技術のものと同様、最前段のコンセント２０を親機３に接続し、最終段のコンセント２０に終端抵抗Ｒを接続して成る。このシステムにおいて、呼出スイッチ２を操作すれば親機３にてそれを検知して呼出報知するようになっている。親機３からは、接続されたペア線４に所定の線間電圧を印加している。
【００１２】
図４はコンセント１の回路図であるが、本実施形態のコンセント１においても従来技術のものと同様、ペア線４を接続する入力端子６ａ，６ｂと、ペア線４を接続する送り端子６ｃ，６ｄとを有している。また、入力端子６ａと送り端子６ｃとは、常閉接点である切換手段ＳＷａを介して接続され、入力端子６ｂと送り端子６ｄとは、常閉接点である切換手段ＳＷｂを介して接続されている。５はコネクタ部であり、各入力端子６ａ，６ｂ及び各送り端子６ｃ，６ｄそれぞれに独立して電気的接続された各端子ピン５ａ，５ｂ，５ｃ，５ｄを具備している。すなわち、端子ピン５ａは、入力端子６ａと切換手段ＳＷａとの間から分岐した分岐線８ａに接続され、端子ピン５ｂは、入力端子６ｂと切換手段ＳＷｂとの間から分岐した分岐線８ｂに接続され、端子ピン５ｃは、送り端子６ｃと切換手段ＳＷａとの間から分岐した分岐線８ｃに接続され、端子ピン５ｄは、送り端子６ｄと切換手段ＳＷｂとの間から分岐した分岐線８ｄに接続されている。
【００１３】
前記構成のコンセント１を、複数送り配線するときには、一方のコンセント１の入力端子６ａ，６ｂそれぞれと他方のコンセント１の送り端子６ｃ，６ｄそれぞれとの間をペア線４にて接続する。
【００１４】
図５は呼出スイッチ２の外観及び内部配線図である。呼出スイッチ２は、コンセント１のコネクタ部５に着脱自在に接続するプラグ部２ａと、人が操作する操作接点２ｅを設けた操作部２ｃと、プラグ部２ａと操作部２ｃとを接続するコード部２ｂとを有して成る。また、プラグ部２ａには、前記コネクタ部５の各端子ピン５ａ，５ｂ，５ｃ，５ｄにそれぞれ着脱自在に電気的接続される端子ピン１０ａ，１０ｂ，１０ｃ，１０ｄが設けられている。また、コード部２ｂにはペア線を構成する導電線９ａ，９ｂが収納されている。導電線９ａは、端子ピン１０ａに電気的接続され、コード部２ｂを通って操作部２ｃで折り返し、再びコード部２ｂを経由して端子ピン１０ｃに接続されている。また、導電線９ｂは、端子ピン１０ｂに電気的接続され、コード部２ｂを通って操作部２ｃで折り返し、再びコード部２ｂを経由して端子ピン１０ｄに接続されている。すなわち、前記導電線９ａ，９ｂは、操作接点２ｅにて折り返してコード部２ｂ内に往復収納され、その両端がプラグ部２ａ内に配置され、プラグ部２ａを前記コネクタ部５に接続したときに、コネクタ部２ａを介して前記入力端子６ａと前記送り端子６ｃとの間を電気的接続し、前記入力端子６ｂと前記送り端子６ｄとの間を電気的接続することになる。
【００１５】
また、操作部２ｃは、人が把持出来る形状に形成されており、指で押操作する操作押圧部２ｄおよび操作押圧部２ｄの操作により閉成する前記操作接点２ｅが設けられており、操作接点２ｅは、その閉成により前記導電線９ａと導電線９ｂとを短絡するように設けられている。
【００１６】
図３は上記コンセント１と前記呼出スイッチ２とを接続した状態を示す図である。前記切換手段ＳＷａ，ＳＷｂはそれぞれマイクロスイッチ１１ａ，１１ｂとして構成されており、それぞれに具備されたスイッチレバー１２ａ，１２ｂが押されると、それぞれ切換手段ＳＷａ，ＳＷｂが開成して電気的接続を遮断するようになっている。マイクロスイッチ１１ａ，１１ｂはコネクタ部５の側方に配され、図３のように呼出スイッチ２のプラグ部２ａがコネクタ部５に接続されたときに、各スイッチレバー１２ａ，１２ｂが押されるようになっており、それによりプラグ部２ａとコネクタ部５の接続が検知され、切換手段ＳＷａ，ＳＷｂが開成して電気的接続を遮断するようになっている。また、プラグ部２ａとコネクタ部５との非接続状態が検知されたときは、切換手段ＳＷａ，ＳＷｂは閉成して電気的導通が成されるようになっている。
【００１７】
次にコンセント１及び呼出システムの動作について説明する。図１および図２において、親機３に接続されているペア線４のループ回線の形成される経路を太線にて示している。
【００１８】
図１の状態、すなわち、呼出スイッチ２のプラグ部２ａがコネクタ部５に接続されたときにおいては、切換手段ＳＷａ，ＳＷｂが開成して電気的接続が遮断されているが、呼出スイッチ２の導電線９ａを経由して入力端子６ａと送り端子６ｃが電気的接続され、図中太線の経路、すなわち導電線９ｂを介して入力端子６ｂと送り端子６ｄが電気的接続される。また、図２の状態、すなわち、呼出スイッチ２のプラグ部２ａがコネクタ部５に接続されていない状態においては、導通線９ａ，９ｂを介しての入力端子６ａ，６ｂと送り端子６ｃ，６ｄとの電気的接続はできないが、切換手段ＳＷａ，ＳＷｂが閉成して電気的導通が成されており、これにより図中太線の経路、すなわち入力端子６ａと送り端子６ｃとが導電線９ａを経由せずに直接電気的接続され、入力端子６ｂと送り端子６ｄとの電気的接続が成される。
【００１９】
また、ペア線４または呼出スイッチ２内の導電線９ａ，９ｂが断線した場合には、ペア線４及び導電線９ａ，９ｂに電流が流れなくなるのでこれを親機３にて検出して断線報知する。
【００２０】
また、呼出スイッチ２の操作押圧部２ｄを操作することにより操作接点２ｅが閉成し、これによりコンセント１の各入力端子６ａ，６ｂ間が短絡され、各送り端子６ｃ，６ｄ間が短絡される。これにより親機３に接続されたペア線４の線間電圧が降下し、親機３にて線間電圧の降下を検出して呼出報知する。
【００２１】
上記のように本実施形態においては、呼出スイッチ２のプラグ部２ａがコネクタ部５に接続されているか否かにかかわらず、入力端子６ａと送り端子６ｃとの電気的接続と入力端子６ｂと送り端子６ｄとの電気的接続が成され、それにより親機３に接続されたペア線４は常にループ回線を形成することができるので、全てのコンセント１に呼出スイッチ２を接続しなくても、呼出スイッチ２の操作検知と、呼出スイッチ２の導電線９ａ，９ｂおよびペア線４の断線検知が両方ともできるようになっている。
【００２２】
また、前記構成の切換接点ＳＷａ，ＳＷｂを設けたので、全てのコンセント１に呼出スイッチ２を接続しなくても、親機３に接続されたペア線４はループ回路になり、故に何れのペア線４もしくは呼出スイッチ２の導電線９ａ，９ｂにて断線しても、断線検知および親機３にて断線報知が可能である。すなわち、呼出スイッチ２は任意の数用意すればよく、例えば１つの呼出スイッチ２を移動して適当な位置のコンセント１に差し込んで使用することができる。
【００２３】
次に、本発明に係る第２の実施形態を説明する。図７は第２の実施形態を示す図である。第２の実施形態が第１の実施形態と異なる点は、コンセント１の内部配線であり、上記切換接点ＳＷａ，ＳＷｂに相当するものがない点である。その他は第１の実施形態と同じである。本実施形態においては、呼出スイッチ２の導電線９ａ，９ｂが断線した場合には、第１の実施形態で説明したように親機３にて断線検知ができるが、切換接点ＳＷａ，ＳＷｂがないので、全てのコンセント１に呼出スイッチ２を接続して初めてペア線４はループ回路になり、各呼出スイッチ２の操作検知および断線検知が可能である。
【００２４】
なお、上記実施形態において、コンセント１が１つだけの呼出システムとして、１つのコンセント１の入力端子６ａ，６ｂを親機３に接続し、送り端子６ｃ，６ｄを終端抵抗Ｒにて終端したシステムにおいても、呼出スイッチ２の操作検知、呼出スイッチ２自体の断線検知およびペア線４の断線検知が可能である。また、複数のコンセント１を送り接続する場合は、コンセント１の数は限定されない。また、呼出スイッチ２の形態が把持型スイッチには限らない。
【００２５】
【発明の効果】
請求項１の発明によれば、コンセントに接続されたペア線により形成されるループ回線の途中に、呼出スイッチ内部の導電線を経由させているので、呼出スイッチの操作検知に加えて、呼出スイッチ自体の断線を検知することができる。
【００２６】
請求項２の発明によれば、請求項１記載の発明の効果に加えて、コンセントに呼出スイッチを接続しない場合にはコンセントの入力端子と送り端子との間が直接電気的接続されるので、複数のコンセントを送り配線したシステムにおいて、全てのコンセントに呼出スイッチを接続しなくても呼出スイッチの操作検知および断線検知ができる。
【００２７】
請求項３の発明によれば、請求項１又は請求項２何れか記載の発明の効果に加えて、コネクタ部とプラグ部との接続状態を検知する手段と、切換手段とをマイクロスイッチにて簡単な構成で実現できる。
【図面の簡単な説明】
【図１】本発明の第１の実施形態を示すシステム回路図（コンセント１と呼出スイッチ２とが接続の状態）である。
【図２】同上のシステム回路図（コンセント１と呼出スイッチ２とが非接続の状態）である。
【図３】同上のコンセント１と呼出スイッチ２とを接続した状態を示す図である。
【図４】同上のコンセント１の回路図である。
【図５】同上の呼出スイッチ２の外観及び内部配線図である。
【図６】同上の呼出システムの外観システム図である。
【図７】本発明の第２の実施形態を示すシステム回路図である。
【図８】第１の従来技術を示す図である。
【図９】第２の従来技術を示す図である。
【符号の説明】
１・・・コンセント
２・・・呼出スイッチ
２ａ・・・プラグ部
２ｂ・・・コード部
２ｃ・・・操作部
２ｅ・・・操作接点
３・・・親機
４・・・ペア線
５・・・コネクタ部
６ａ，６ｂ・・・入力端子
６ｃ，６ｄ・・・送り端子
９ａ，９ｂ・・・導電線
１１ａ，１１ｂ・・・マイクロスイッチ
１２ａ，１２ｂ・・・スイッチレバー
ＳＷａ，ＳＷｂ…切換手段
【図１】
0003601227.tif 000002
【図２】
0003601227.tif 000003
【図３】
0003601227.tif 000004
【図４】
0003601227.tif 000005
【図５】
0003601227.tif 000006
【図６】
0003601227.tif 000007
【図７】
0003601227.tif 000008
【図８】
0003601227.tif 000009
【図９】
0003601227.tif 000010